(57)【要約】      （修正有）【課題】撮影環境に応じた連続撮影を可能とする撮像装置を提供する。【解決手段】絞りの開口部が第１開口面積で測光を行う測光処理と第１開口面積に比べて開口面積の小さい第２開口面積で撮像を行う撮像処理とを繰返し行う連続撮影が実行可能な第１モードと、絞りの開口部が第２開口面積で測光を行う測光処理と第２開口面積で撮像を行う撮像処理とを繰返し行う連続撮影が実行可能な第２モードと、の何れかのモードに設定する設定部と、第１モード又は第２モードが設定部により設定されている状態で連続撮影が行われている間にレリーズ釦又は電源釦とは異なる操作釦が操作された場合、第１モードが設定されているときは第１モードから第２モードに切替えるよう制御する第１制御と、第２モードが設定されているときは第２モードから第１モードに切替えるよう制御する第２制御と、の少なくとも一方の制御を行う制御部とを備える。【選択図】図４
2013242497.tif 000002
【特許請求の範囲】
【請求項１】
絞りの開口部が第１開口面積で測光を行う測光処理と前記絞りの前記開口部が前記第１開口面積に比べて開口面積の小さい第２開口面積で撮像を行う撮像処理とを繰返し行う連続撮影が実行可能な第１モードと、前記絞りの前記開口部が前記第２開口面積で測光を行う測光処理と前記絞りの前記開口部が前記第２開口面積で撮像を行う撮像処理とを繰返し行う連続撮影が実行可能な第２モードと、
の何れかのモードを連続撮影モードとして設定する設定部と、
前記第１モード又は前記第２モードが前記設定部により設定されている状態で連続撮影が行われている間にレリーズ釦又は電源釦とは異なる操作釦が操作された場合、前記第１モードが前記設定部により設定されているときは前記第１モードから前記第２モードに切替えるよう前記設定部を制御する第１制御と、前記第２モードが前記設定部により設定されているときは前記第２モードから前記第１モードに切替えるよう前記設定部を制御する第２制御と、の少なくとも一方の制御を行う制御部とを備えること
を特徴とする撮像装置。
【請求項２】
請求項１に記載の撮像装置において、
前記第１モードが前記設定部により設定されている状態で連続撮影が行われている間に前記操作釦が操作された場合、前記設定部は、前記制御部による第１制御に応じて前記第１モードから前記第２モードに切替え、かつ前記第２モードが前記設定部により設定されている状態で連続撮影が行われている間に前記操作釦が操作された場合、前記設定部は、前記制御部による前記第２制御に応じて前記第２モードから前記第１モードに切替えること
を特徴とする撮像装置。
【請求項３】
請求項１に記載の撮像装置において、
前記第１モードが前記設定部により設定されている状態で連続撮影が行われている間に前記操作部材が操作された場合、前記設定部は、前記制御部による前記第１制御に応じて前記第１モードから前記第２モードに切替えること
を特徴とする撮像装置。
【請求項４】
請求項１に記載の撮像装置において、
前記第２モードが前記設定部により設定されている状態で連続撮影が行われている間に前記操作釦が操作された場合、前記設定部は、前記制御部による前記第２制御に応じて前記第２モードから前記第１モードに切替えること
を特徴とする撮像装置。
【請求項５】
請求項１から請求項４のいずれか一項に記載の撮像装置において、
前記第２開口面積は、ユーザーが選択した絞り値又は前記測光により得られた測光値に基づいて算出した絞り値のいずれか一方の絞り値に基づく開口面積であること
を特徴とする撮像装置。
【請求項６】
請求項１から請求項５のいずれか一項に記載の撮像装置において、
前記第１開口面積は、レンズの開放絞り値に基づく開口面積であること
を特徴とする撮像装置。
【請求項７】
請求項１から請求項６のいずれか一項に記載の撮像装置において、
前記第１制御と、前記第２制御との少なくとも一方の制御を許可するよう、ユーザーが設定可能な機能設定部をさらに備えること
を特徴とする撮像装置。
【請求項８】
請求項１から請求項７のいずれか一項に記載の撮像装置
において、
前記撮像装置は交換レンズが装着可能であって、
前記交換レンズが装着可能なレンズマウントをさらに備え、
前記操作釦は前記レンズマウントに隣接する位置に配設されること
を特徴とする撮像装置。
【発明の詳細な説明】
【技術分野】
【０００１】
本発明は、撮像装置に関する。
【背景技術】
【０００２】
従来、連続撮影モード時に、絞りを開放位置まで戻すことをせず、一回目の開放測光で演算された絞り値に絞り込まれた状態で測光を行って、高速連続撮影を実行することが可能な自動露出制御カメラが知られている（特許文献１参照）。
【先行技術文献】
【特許文献】
【０００３】
【特許文献１】特開昭５８−１１１０２３号公報
【発明の概要】
【発明が解決しようとする課題】
【０００４】
しかしながら、特許文献１に記載の自動露出制御カメラでは、連続撮影モード時は絞りが絞込まれた状態となっているため、光学ファインダーは撮影環境によっては被写体の確認に支障をきたすおそれがあった。
【０００５】
本発明の目的は、高速な撮影速度で撮影したい撮影環境や暗い被写体をファインダーで確認したい撮影環境など、撮影環境に応じた連続撮影を可能とする撮像装置を提供することである。
【課題を解決するための手段】
【０００６】
請求項１に記載の撮像装置は、絞りの開口部が第１開口面積で測光を行う測光処理と前記絞りの前記開口部が前記第１開口面積に比べて開口面積の小さい第２開口面積で撮像を行う撮像処理とを繰返し行う連続撮影が実行可能な第１モードと、前記絞りの前記開口部が前記第２開口面積で測光を行う測光処理と前記絞りの前記開口部が前記第２開口面積で撮像を行う撮像処理とを繰返し行う連続撮影が実行可能な第２モードと、の何れかのモードを連続撮影モードとして設定する設定部と、前記第１モード又は前記第２モードが前記設定部により設定されている状態で連続撮影が行われる間にレリーズ釦又は電源釦とは異なる操作釦が操作された場合、前記第１モードが前記設定部により設定されているときは前記第１モードから前記第２モードに切替えるよう前記設定部を制御する第１制御と、前記第２モードが前記設定部により設定されているときは前記第２モードから前記第１モードに切替えるよう前記設定部を制御する第２制御と、の少なくとも一方の制御を行う制御部とを備えることを特徴とする。
【発明の効果】
【０００７】
本発明の撮像装置によれば、撮影環境に応じた連続撮影が可能となる。
【図面の簡単な説明】
【０００８】
【図１】本実施形態におけるカメラ１の外観を模式的に示した図である。
【図２】本実施形態におけるカメラ１の電気的構成を示したブロック図である。
【図３】本実施形態におけるカメラ１の制御の一例を示すフローチャートである。
【図４】本実施形態におけるカメラ１の制御の一例を示すフローチャートである。
【図５】本実施形態におけるカメラ１の制御の一例を示すフロ−チャートである。
【図６】表示部１０５への表示例を示す図である。
【発明を実施するための形態】
【０００９】
本実施形態の撮像装置は、開放測光連写モードと絞込み測光連写モードとを連続撮影モードとして設定することができる。
開放測光連写モードは、絞りの開口部が開放絞り値の状態で測光を行う測光処理と、絞りの開口部が撮像装置が設定した絞り値の状態で撮像を行う撮像処理と、１枚の静止画の画像データの生成を行う画像データ生成処理とを繰返し行う連続撮影が実行可能なモードである。
絞込み測光連写モードは、絞りの開口部が撮像装置が設定した絞り値の状態で測光を行う測光処理と、絞りの開口部が撮像装置が設定した絞り値の状態で撮像を行う撮像処理と、１枚の静止画の画像データの生成を行う画像データ生成処理とを繰返し行う連続撮影が実行可能なモードである。
ユーザーは、本実施形態の撮像装置で連続撮影している間に、任意のタイミングで開放測光連写モードと絞込み測光連写モードとを切替えて、切替えた後も連続撮影が可能であることを特徴とする。
【００１０】
以下、本発明の実施形態を、図面を用いて説明する。
本実施形態では、カメラ１として一眼レフレックスカメラを例に挙げて説明する。図１は、本実施形態におけるカメラ１の外観を示した図である。カメラ１は、カメラ本体１００と交換レンズ２００とが組み合わされて構成される。撮像装置としてのカメラ本体１００は、交換レンズ２００が着脱可能に構成されている。カメラ本体１００には、焦点距離や開放絞り等が異なる様々な種類の交換レンズが装着可能となる。
図１（ａ）は、カメラ本体１００に交換レンズ２００が装着される面（前面）を斜め上方から見た図を示している。
【００１１】
カメラ本体１００の上面には、レリーズ釦１０１と、レリーズモード設定釦１０２と、モードダイヤル１０３とが設けられている。
【００１２】
レリーズ釦１０１は、被写体を撮影するためにユーザーが押下する釦である。
【００１３】
レリーズモード設定釦１０２は、レリーズモードを切替えるためにユーザーが押下する釦である。レリーズモードとして、単写モード、開放測光連写モード、絞込み測光連写モードが挙げられる。たとえばレリーズモードとして単写モードが設定されている場合、ユーザーがレリーズモード設定釦１０２を一回押下する毎に、開放測光連写モード、絞込み測光連写モード、単写モードの順に切替わる。なお、ユーザーがレリーズモード設定釦１０２を押下する毎に切替わるレリーズモードの順番はこの限りではなく、単写モードから絞込み測光連写モードへ切替わってもよい。
【００１４】
単写モードは、レリーズ釦１０１が押下される毎に１枚の静止画の撮影を行うことが可能なレリーズモードである。
開放測光連写モードは、ユーザーによりレリーズ釦１０１が押下されている間は連続撮影を行うことが可能なレリーズモードである。開放測光連写モードは、レリーズ釦１０１の半押しに応じて絞りの開口部を開放絞り値に対応する開口面積にして測光を行い、レリーズ釦１０１の全押しに応じて絞りの開口部をカメラ１が設定した絞り値に対応する開口面積にして撮像と画像データの生成を行うことで連続撮影するレリーズモードである。
絞込み測光連写モードは、ユーザーによりレリーズ釦１０１が押下されている間は連続撮影を行うことが可能なレリーズモードである。絞込み測光連写モードは、レリーズ釦１０１の半押しに応じて絞りの開口部をカメラ１が設定した絞り値に対応する開口面積にして測光を行い、レリーズ釦１０１の全押しに応じて絞りの開口部をカメラ１が設定した絞り値に対応する開口面積にして撮像と画像データの生成を行うことで連続撮影するレリーズモードである。
すなわち、絞込み測光連写モードにおける連続撮影は、絞りの開口部がカメラ１が設定した絞り値に対応する開口面積で測光を行う点が開放測光連写モードと異なる。
【００１５】
モードダイヤル１０３は、カメラ１が有する複数の撮影モードの中からユーザーが実行したい撮影モードを選択するためにユーザーが操作する回転式操作部材である。撮影モードの一例として、マニュアルモード（Ｍ）、絞り優先オートモード（Ａ）、シャッター速度優先オートモード（Ｓ）、プログラムオートモード（Ｐ）が挙げられる。
カメラ本体１００の前面において、交換レンズ２００が装着されるレンズマウントに隣接する位置には、絞込み測光連写切替釦１０４が設けられている。絞込み測光連写切替釦１０４は、連続撮影している間に開放測光連写モードと絞込み測光連写モードとを切替えるためにユーザーが押下する釦である。
【００１６】
図１（ｂ）は、カメラ本体１００が表示部１０５を備える面（背面）を斜め上から見た図を示している。
カメラ本体１００の背面には、表示部１０５と、コマンドダイヤル１０６と、十字釦１０７と、決定釦１０８と、メニュー釦１０９と、再生釦１１０とが設けられている。
【００１７】
表示部１０５は、たとえば液晶表示装置等で構成されており、画像やメニュー等を表示する。
【００１８】
コマンドダイヤル１０６は、絞り値やシャッター速度等を選択するためにユーザーが操作する回転式の操作部材である。撮影モードとして、絞り優先オートモードが設定されている場合、コマンドダイヤル１０６をユーザーが操作することで所望の絞り値を選択する。
【００１９】
十字釦１０７は、表示部１０５に表示されている項目からユーザーが実行したい機能に関する項目を選択するためにユーザーが上下左右の方向を操作する釦である。
決定釦１０８は、十字釦１０７を操作し選択した項目を決定するためにユーザーが押下する釦である。
メニュー釦１０９は、メニュー画面を表示部１０５に表示するためにユーザーが押下する釦である。撮影モードに設定されている場合にメニュー釦１０９が押下されると、撮影に関するメニュー画面が表示部１０５に表示される。画像データが表示部１０５に再生表示されている場合にメニュー釦１０９が押下されると、画像データ再生に関するメニュー画面が表示部１０５に表示される。
再生釦１１０は、後述する記録媒体１２７に記録されている画像データを再生するためにユーザーが押下する釦である。撮影モードの場合、ユーザーが再生釦１１０を一回押下することでカメラ１は、後述する記録媒体１２７から画像データを読み出し、表示部１０５に表示する。
【００２０】
図２は、本実施形態におけるカメラ１の電気的構成を示したブロック図である。図１と同じ構成要素については同じ番号を付し、その説明を省略する。
【００２１】
まず、カメラ本体１００について説明する。
カメラ本体１００は、測光部１１１と、撮像部１１２と、カメラ本体側制御部１１３と、カメラ本体側通信接点１１４と、ミラー駆動制御部１１５と、ミラー１１６と、シャッター駆動制御部１１７と、シャッター１１８と、ＲＯＭ１１９と、ＲＡＭ１２０と、半押しスイッチ１２１と、全押しスイッチ１２２と、再生スイッチ１２３と、絞込み測光連写切替スイッチ１２４と、撮影モードスイッチ１２５と、記録媒体ＩＦ１２６とを備えている。
【００２２】
測光部１１１は、測光用レンズ及び測光用センサーで構成される。交換レンズ２００に入射した光束は、ミラー１１６で反射されて、不図示のファインダースクリーンに被写体像として結像される。ファインダースクリーンに結像された被写体像は、不図示のペンタプリズム、測光用レンズを介して測光用センサーに導かれる。測光センサーは、撮影画面を複数の領域に分割して各領域の輝度に応じた測光信号を出力する。
カメラ本体側制御部１１３は、測光用センサーから入力される測光領域ごとの測光信号に基づいて露出演算を行い、撮影画面の輝度に応じたシャッター速度、絞り値及び感度を算出する。
【００２３】
撮像部１１２は、撮像素子、アナログ信号処理装置、Ａ／Ｄ変換器等で構成される。詳細は省略するが、撮像素子は、交換レンズ２００を透過してカメラ本体1に入射した光によって露光されるとともに、露光された光に対して光電変換を行い、アナログ信号処理装置に電気信号を出力する。アナログ信号処理装置は、撮像素子から入力された電気信号に相関二重サンプリングを施してノイズを低減する。アナログ信号処理装置は、ノイズ低減された電気信号をＡ／Ｄ変換器へ出力する。Ａ／Ｄ変換器は、アナログ信号処理装置から入力された電気信号をデジタル信号に変換してカメラ本体側制御部１１３へ出力する。
【００２４】
カメラ本体側制御部１１３は、測光と、焦点検出と、撮像とに関する制御、露出演算や画像処理等を行う。たとえば、カメラ本体側制御部１１３は、半押しスイッチ１２１からオン信号が入力されると、ミラー駆動制御部１１５及びレンズ制御部２０１に対して、測光及び焦点検出の準備を行うように指示する。測光の準備が完了すると、カメラ本体側制御部１１３は測光部１１１に測光を指示する。焦点検出の準備が完了すると、カメラ本体側制御部１１３は不図示の測距部に焦点検出を指示する。カメラ本体側制御部１１３は、全押しスイッチ１２２からオン信号が入力されると、撮像部１１２、ミラー駆動制御部１１５、シャッター駆動制御部１１７及びレンズ制御部２０１に対して、撮像を指示する。撮像終了後、カメラ本体側制御部１１３は、撮像部１１２から入力されたデジタル信号に周知の色補正処理や圧縮処理等の画像処理を行うことで画像データを生成し、記録媒体１２７に記録する。
【００２５】
半押しスイッチ１２１は、ユーザーによりレリーズ釦１０１が半押しされたことを検知している間、オン信号を出力するスイッチである。
全押しスイッチ１２２は、ユーザーによりレリーズ釦１０１が全押しされたことを検知している間、オン信号を出力するスイッチである。レリーズ釦１０１が全押しされた状態とは、レリーズ釦１０１が半押しされた状態よりも深く押下された状態である。全押しスイッチ１２２がオン信号を出力している間、半押しスイッチ１２１もオン信号を出力する。
再生スイッチ１２３は、ユーザーが再生釦１１０を押下する毎にオンとオフとが切替わるスイッチである。再生スイッチ１２３は、カメラ本体側制御部１１３が撮影モードを設定しているときはオフである。ユーザーに再生釦１１０が押下されると再生スイッチ１２３はオンに切替わる。カメラ本体側制御部１１３は、再生スイッチ１２３がオンになっていることを判断すると、記録媒体１２７から画像データを読み出し、表示部１０５に表示する。
【００２６】
特に図示していないが、カメラ本体側制御部１１３は、レリーズモード設定釦１０２、コマンドダイヤル１０６、十字釦１０７及び決定釦１０８と電気的に接続されており、それぞれの釦又はダイヤルから信号が入力可能である。
【００２７】
カメラ本体側通信接点１１４は、複数の電気接点で構成される。カメラ本体側通信接点１１４がレンズ通信接点２０４と当接することにより、カメラ本体側制御部１１３は、カメラ本体側通信接点１１４とレンズ通信接点２０４とを介してレンズ制御部２０１と様々な通信を行うことができる。たとえば、交換レンズ２００の開放絞り値を含むレンズデータ通信や、レンズ駆動に関する通信を行うことができる。
【００２８】
ミラー１１６は、ミラー駆動制御部１１５により制御されることで、観察状態と退避状態を取りうる。観察状態は、ミラー１１６が、交換レンズ２００の光軸を中心とする撮影光路上に配置され、交換レンズ２００を通過した光束を測光部１１１及び不図示のファインダーに導く状態である。退避状態は、ミラー１１６が、撮影光路上から退避し、交換レンズ２００を透過して入射した光束を撮像部１１２へ通過させる状態である。
【００２９】
シャッター１１８は、シャッター駆動制御部１１７により制御されることで、撮像面を遮光する遮光状態と、撮像面で露光する露光状態とを取り得る。シャッター１１８は、1組の遮光性のシャッター幕として先幕と後幕で構成されている。シャッター１１８の露光状態は、シャッター駆動制御部１１７がシャッター速度に応じた駆動タイミングで先幕と後幕を走行させることにより、交換レンズ２００を通過した光が撮像面に露光する状態である。
【００３０】
全押しスイッチ１２２がオンになっていることをカメラ本体側制御部１１３が判断すると、カメラ本体側制御部１１３は、ミラー駆動制御部１１５にミラーアップを指示する。ミラー駆動制御部１１５は、カメラ本体側制御部１１３からのミラーアップの指示に応じて撮影光路上に配置される観察状態のミラー１１６を撮影光路から退避状態の位置へ退避させる。ミラー１１６が撮影光路から退避すると、カメラ本体側制御部１１３は、シャッター駆動制御部１１７にシャッター１１８を露光状態にするよう指示し、シャッター駆動制御部１１７は、カメラ本体側制御部１１３からの指示に応じてシャッター１１８を露光状態し、撮像部１１２に含まれる撮像素子による露光を行う。ミラー駆動制御部１１５は、少なくとも撮像面で露光している間、ミラー１１６を退避状態に維持する。露光が終了しシャッター１１８が遮光状態になると、カメラ本体側制御部１１３は、ミラー駆動制御部１１５にミラー１１６を観察状態に復帰するように指示するとともにシャッター駆動制御部１１７にシャッター１１８をチャージするように指示する。
【００３１】
ＲＯＭ１１９は、不揮発性メモリーで構成されている。ＲＯＭ１１９には、レリーズモードや絞込み測光連写切替釦機能を有効又は無効にするための情報等が記録されている。
ＲＡＭ１２０は、揮発性メモリーで構成されている。ＲＡＭ１２０には、交換レンズ２００の開放絞り値を含むレンズ情報、絞り値、シャッター速度等が一時記憶される。
【００３２】
絞込み測光連写切替スイッチ１２４は、開放測光連写モード又は絞込み測光連写モードであるときにユーザーが絞込み測光連写切替釦１０４を押下する毎にオンとオフとが切替わるスイッチである。絞込み測光連写切替スイッチ１２４は、カメラ１の電源を投入した時又はレリーズモードを変更した時、オフである。
また、詳細は後述するが、本実施形態のカメラ１において、ユーザーは絞込み測光連写切替釦機能の有効又は無効を選択できる。カメラ本体側制御部１１３は、ユーザーの選択に応じて絞込み測光連写釦機能を有効又は無効にする。
開放測光連写モードから絞込み測光連写モードへの切替及び絞込み測光連写モードから開放測光連写モードへの切替に関する絞込み測光連写切替釦機能が有効である場合、開放測光連写モードのとき、カメラ本体側制御部１１３は、連続撮影を行う前又は連続撮影を行っている間に絞込み測光連写切替スイッチ１２４がオフからオンになったことを判断すると、開放測光連写モードから絞込み測光連写モードに切替える。さらに、絞込み測光連写切替スイッチ１２４がオンからオフになったことを判断すると、絞込み測光連写モードから開放測光連写モードに切替える。
絞込み測光連写モードから開放測光連写モードへの切替及び開放測光連写モードから絞込み測光連写モードへの切替に関する絞込み測光連写切替釦機能が有効である場合、絞込み測光連写モードのとき、カメラ本体側制御部１１３は、連続撮影を行う前又は連続撮影を行っている間に絞込み測光連写切替スイッチ１２４がオフからオンになったことを判断すると、絞込み測光連写モードから開放測光連写モードに切替える。さらに、絞込み測光連写切替スイッチ１２４がオンからオフになったことを判断すると、開放測光連写モードから絞込み測光連写モードに切替える。
【００３３】
撮影モードスイッチ１２５は、モードダイヤル１０３の回転位置を検知するためのロータリースイッチである。たとえば、ユーザーがモードダイヤル１０３を操作することにより、絞り優先オートモードを選択すると、撮影モードスイッチ１２５は、モードダイヤル１０３の回転位置に関する信号をカメラ本体側制御部１１３へ出力する。カメラ本体側制御部１１３は、撮影モードスイッチ１２５から入力されたモードダイヤル１０３の回転位置に関する信号に基づいて絞り優先オートモードを設定する。
【００３４】
絞り優先オートモードは、ユーザーが絞り値を設定し、カメラ１がユーザーにより設定された絞り値に応じたシャッター速度を設定する撮影モードである。シャッター速度優先オートモードは、ユーザーがシャッター速度を設定し、カメラ１がユーザーにより設定されたシャッター速度に応じた絞り値を設定する撮影モードである。プログラムオートモードは、カメラ１が絞り値とシャッター速度を設定する撮影モードである。マニュアルモードは、ユーザーが絞り値とシャッター速度を設定する撮影モードである。
すなわち、プログラムオートモード及びシャッター速度優先オートモードにおいて、カメラ本体側制御部１１３は、測光値による露出演算に基づく絞り値の算出を行い、算出された絞り値を撮像時に利用する。絞り優先オートモード及びマニュアルモードにおいて、カメラ本体側制御部１１３は、ユーザーが予め設定した絞り値を撮像時に利用する。
【００３５】
記録媒体１２７は、不揮発性メモリーで構成されており、カメラ本体１００が備える記録媒体ＩＦ１２６に対して着脱可能である。記録媒体１２７は、たとえばＣＦ（登録商標）カード、ＳＤカード、外付けＨＤＤなどである。
【００３６】
次に、交換レンズ２００について説明する。交換レンズ２００は、レンズ制御部２０１と、絞り駆動制御部２０２と、絞り２０３と、レンズ通信接点２０４とを備えている。交換レンズ２００は、上述した構成の他に不図示の手振れ補正制御部や合焦制御部等を備えているが、詳細は省略する。
【００３７】
レンズ制御部２０１は、カメラ１の電源が投入された状態で、カメラ本体側制御部１１３からの指示に応じて絞り２０３の開放絞り値を含むレンズの素性をカメラ本体側制御部１１３に伝達する。レンズ制御部２０１は、カメラ本体側制御部１１３から測光又は撮像の指示を受けると、それぞれの指示に応じて絞り駆動制御部２０２に対して絞り２０３を制御するよう指示し、絞り駆動制御部２０２が絞り２０３を制御することで絞り２０３の開口部の開口面積が変化する。
絞り２０３は、複数の絞り羽根を利用した公知の虹彩絞りである。絞り羽根駆動リングが、絞り駆動制御部２０２によって駆動されると、複数の絞り羽根によって形成される開口部の口径が変化する。これによって撮像部１１２に結像される被写体光の光量を制御するように構成されている。
【００３８】
レンズ通信接点２０４は、複数の電気接点で構成される。交換レンズ２００がカメラ本体１００に装着されることにより、レンズ通信接点２０４はカメラ本体側通信接点１１４と当接する。カメラ本体側制御部１１３は、カメラ本体側通信接点１１３とレンズ通信接点２０４とを介してレンズ制御部２０１と各種指示、情報を相互伝達する。さらに、カメラ本体側制御部１１３は、不図示のバッテリから交換レンズ２００への電力供給を制御する。
【００３９】
次に、カメラ本体側制御部１１３によるカメラ１の制御を図３乃至図５に示すフローチャートを用いて説明する。
【００４０】
図３は、カメラ１の電源が投入されてから切断されるまでのカメラ本体側制御部１１３の動作に関するフローチャートである。
【００４１】
ステップＳ１０１にて、カメラ本体側制御部１１３は、ユーザーにより不図示の電源釦がオン操作されたことを検知すると、カメラ１の電源を投入する。
【００４２】
ステップＳ１０２にて、カメラ本体側制御部１１３は、レンズ確認を行う。具体的には、カメラ本体側制御部１１３は、カメラ本体側通信接点１１４とレンズ通信接点２０４を介してレンズ制御部２０１に対して少なくとも交換レンズ２００の絞り２０３が取り得る絞り値の範囲を含むレンズ情報を問い合わせる。レンズ制御部２０１は、カメラ本体側制御部１１３からの問い合わせに応じて、少なくとも絞り２０３が取り得る絞り値の範囲を含む情報をカメラ本体側制御部１１３へ伝達する。レンズ制御部２０１からカメラ本体側制御部１１３に少なくとも絞り２０３の取り得る絞り値の範囲を含むレンズ情報が伝達されると、カメラ本体側制御部１１３は、レンズ情報をＲＡＭ１２０に一時記憶して、ステップＳ１０３に進む。
【００４３】
ステップＳ１０３において、カメラ本体側制御部１１３は、モードダイヤル１０３により選択されている撮影モードを判断し、ＲＯＭ１１９から前回電源切断時におけるレリーズモードを読み込み、撮影モード及びレリーズモードを設定してステップＳ１０４に進む。
モードダイヤル１０３によりプログラムオートモードが選択されている場合かつ、ＲＯＭ１１９に単写モードが記録されている場合は、カメラ本体側制御部１１３は、プログラムオートモード及び単写モードを起動する。
【００４４】
ステップＳ１０４にて、カメラ本体側制御部１１３は、ＲＡＭ１２０からレンズ情報を読み出す。ＲＡＭ１２０から読み出されたレンズ情報に基づき、カメラ本体側制御部１１３は、レンズ制御部２０１に対して、絞り２０３の開口部を開放絞り値に対応する開口面積に制御するように指示する。レンズ制御部２０１は絞り駆動制御部２０２に対して絞り２０３の開口部を開放絞り値に対応する開口面積にするように指示する。絞り２０３の絞り駆動リングが、絞り駆動制御部２０２により駆動されて絞り２０３の開口部は開放絞り値に対応する開口面積になる。
具体的には、開放絞り値がＦ１．８の交換レンズ２００がカメラ本体１００に装着されている場合、ＲＡＭ１２０にＦ１．８が一時記憶されており、カメラ本体側制御部１１３はレンズ制御部２０１に対して絞り２０３の開口部をＲＡＭ１２０から読み出した絞り値に制御するように指示し、絞り駆動制御部２０２により絞り２０３は開放絞り値Ｆ１．８に設定される。
【００４５】
ステップＳ１０５にて、カメラ本体側制御部１１３は、ユーザーによって絞込み測光連写切替釦機能メニューを起動するように十字釦１０７、決定釦１０８、メニュー釦１０９等が操作されたと判断した場合、ステップＳ１０６に進む。
絞込み測光連写切替釦機能メニューが選択されていないと判断した場合、ステップＳ１０７に進む。
【００４６】
ここで、ステップＳ１０６の絞込み測光連写切替釦機能メニューについて、図５及び図６を用いて説明する。
絞込み測光連写切替釦機能メニューは、開放測光連写モード又は絞込み測光連写モードのときに、絞込み測光連写切替スイッチ１２４のオンとオフとの切替をカメラ本体側制御部１１３が検知するか否かについてユーザーが選択するためのメニューである。
図５は、ステップＳ１０６のサブルーチンフローチャートであり、絞込み測光連写切替釦機能メニューにおけるカメラ本体側制御部１１３の処理に関するフローチャートである。
図６は、表示部１０５が表示する絞込み測光連写切替釦機能メニュー画面の一例である。
【００４７】
図６（ａ）は、開放測光連写モードから絞込み測光連写モードへの切替の項目をユーザーが選択したときに、表示部１０５が表示する画面である。
図６（ｂ）は、絞込み測光連写切替釦機能を有効にするようにユーザーが選択したときに、表示部１０５が表示する画面である。
図６（ｃ）は、絞込み測光連写切替釦機能を無効にするようにユーザーが選択したときに、表示部１０５が表示する画面である。
【００４８】
ステップＳ２０１にて、ユーザーによる十字釦１０７及び決定釦１０８の押下に応じて、カメラ本体側制御部１１３は、開放測光連写モードから絞込み測光連写モードへの切替又は絞込み測光連写モードから開放測光連写モードへの切替に関する絞込み測光連写釦機能について選択するとともに、表示部１０５に図６（ａ）に示す画面を表示する。
【００４９】
ステップＳ２０２にて、カメラ本体側制御部１１３は、ＲＯＭ１１９から絞込み測光連写切替釦情報を読み出す。絞込み測光連写切替釦情報は、絞込み測光連写切替釦機能を有効又は無効にするための情報である。
【００５０】
ステップＳ２０３にて、カメラ本体側制御部１１３は、表示部１０５に、絞込み測光連写切替釦機能について「有効」及び「無効」の項目にＲＯＭ１１９から読み出した絞込み測光連写切替釦情報に基づいたカーソルを重ねて表示させる。
【００５１】
ステップＳ２０４にて、ユーザーの十字釦１０７の操作により「有効」が選択されたか否かを判断する。
【００５２】
ステップＳ２０４で「有効」が選択されて進んだステップＳ２０５の場合は、カメラ本体側制御部１１３は、表示部１０５に図６（ｂ）に示す画面を表示し、ステップＳ２０７に進む。
ステップＳ２０４で「無効」が選択されて進んだステップＳ２０６の場合は、表示部１０５に図６（ｃ）に示す画面を表示し、ステップＳ２０７に進む。
【００５３】
ステップＳ２０７にて、カメラ本体側制御部１１３は、ユーザーによって決定釦１０８が押下されたか否かを判断する。決定釦１０８が押下されたと判断した場合、ステップＳ２０９に進む。決定釦１０８が押下されていないと判断した場合、カメラ本体側制御部１１３は、決定釦１０８が押下されるのを待機する。
【００５４】
ステップＳ２０８にて、絞込み測光連写切替釦機能を有効にするか否かを判断する。
ステップＳ２０８で有効にすると判断して進んだステップＳ２０９にて、カメラ本体側制御部１１３は、絞込み測光連写切替釦機能を有効にするための情報をＲＯＭ１１９に記録し、絞込み測光連写切替機能を有効にする。
ステップＳ２０８で有効にすると判断せずに進んだステップＳ２１０にて、カメラ本体側制御部１１３は、絞込み測光連写切替釦機能を無効にするための情報をＲＯＭ１１９に記録し、絞込み測光連写切替釦機能を無効にする。
ステップＳ２０９又はステップＳ２１０の処理が終わると、図３のステップＳ１０７に戻る。
なお、上述した実施形態の図６に示した画面の具体例については、これに限定されず、異なるＧＵＩ画面であってもよい。
【００５５】
ステップＳ１０７にて、再生スイッチ１２３からのオン信号の入力によって、カメラ本体側制御部１１３が撮影モードでないと判断すると、ステップＳ１１２に進み、カメラ本体側制御部１１３は、記録媒体１２７から画像データを読み出し、表示部１０５に表示する。
ステップＳ１１３にて、カメラ本体側制御部１１３は一定時間が経過したかを判断する。一定時間は、ユーザーによる十字釦１０７の操作を受付けるための時間であり、１秒程度でよい。一定時間が経過するとステップＳ１１４に進む。
ステップＳ１１４にて、ユーザーにより十字釦１０７の左右方向が操作されると、ステップＳ１１２に戻り、カメラ本体側制御部１１３は、上述した画像データとは異なる画像データを記録媒体１２７から読出して、表示部１０５に表示する。
ユーザーによって十字釦１０７の左右方向が操作されなければステップＳ１１５に進む。
ステップＳ１１５において、カメラ本体側制御部１１３がユーザーによるレリーズ釦１０１の半押しを検知した場合、ステップＳ１１６に進む。レリーズ釦１０１の半押しを検知しなかった場合、ステップＳ１１７に進む。
ステップＳ１１６にて、カメラ本体側制御部１１３は、ステップＳ１０３にて設定された撮影モード及びレリーズモードを起動し、ステップＳ１０８に進む。
【００５６】
ステップＳ１０８にて、ステップＳ１０３で設定されたレリーズモードとは異なるレリーズモードが、ユーザーのレリーズモード設定釦１０２の操作によって選択されたと判断すると、ステップＳ１０９に進む。ステップＳ１０３で設定されたレリーズモードとは異なるレリーズモードが選択されたと判断しないと、ステップＳ１１０に進む。
ステップＳ１０９にて、カメラ本体側制御部１１３は、ユーザーがレリーズモード設定釦１０２を操作することによって選択したレリーズモードを設定し、ＲＯＭ１１９にレリーズモードに関する情報を記録する。
ステップＳ１１０にて、カメラ本体側制御部１１３が単写モード以外のレリーズモードを設定している場合、ステップＳ１２０に進む。カメラ本体側制御部１１３が単写モードを設定している場合、ステップＳ１１１に進む。
【００５７】
ステップＳ１１１にて、ユーザーによるレリーズ釦１０１の半押しを検知すると絞り２０３の開口部を開放絞り値に対応する開口面積にして測光を行う。さらに、ユーザーによるレリーズ釦１０１の全押しを検知すると絞り２０３の開口部を設定された絞り値に対応する開口面積にして撮像及び画像データ生成を行う。撮像終了後、カメラ本体側制御部１１３は、レンズ制御部２０１に、絞り２０３を開放絞り値にするように指示し、絞り駆動制御部２０２が絞り２０３の開口部が開放絞り値に対応する開口面積になるように絞り２０３を制御する。
【００５８】
ステップＳ１１７にて、カメラ本体側制御部１１３は、ユーザーによる不図示の電源釦のオフ操作を検知すると、カメラ１の電源を切断する。ユーザーによる不図示の電源釦のオフ操作を検知しないと、ステップＳ１０５に戻る。
【００５９】
図４は、ステップＳ１０６で開放測光連写モードから絞込み測光連写モードへの切替及び絞込み測光連写モードから開放測光連写モードへの切替に関する絞込み測光連写切替釦機能が有効になるように設定されている場合の、ステップＳ１２０のサブルーチンフローチャートである。
【００６０】
ステップＳ１２１にて、カメラ本体側制御部１１３は、ユーザーによって撮影モードスイッチ１２５の回転位置が変更されたことを判断すると、ステップＳ１２２に進む。ステップＳ１２１にて、カメラ本体側制御部１１３は、ユーザーによって撮影モードスイッチ１２５の回転位置が変更されなかった場合、ステップＳ１２３に進む。
ステップＳ１２２にて、カメラ本体側制御部１１３は、ユーザーによって変更された撮影モードスイッチ１２５の回転位置に応じた信号を検知するとともに、ユーザーによって変更された撮影モードスイッチ１２５の回転位置に応じた撮影モードを設定する。
【００６１】
ステップＳ１２３にて、ユーザーは絞り値やシャッター速度を選択できる。カメラ本体側制御部１１３は絞り値やシャッター速度等を表示部１０５に表示する。
マニュアルモードの場合、ユーザーが十字釦１０７や決定釦１０８を操作することで絞り値及びシャッター速度を変更すると、カメラ本体側制御部１１３は変更した値をＲＡＭ１２０に記憶するとともに表示部１０５に表示する。
絞り優先オートモードの場合、カメラ本体側制御部１１３は、ユーザーによるコマンドダイヤル１０６の操作に応じた絞り値を選択するとともに、撮影画面の輝度を測光し、シャッター速度を算出する。
プログラムオートモードの場合、カメラ本体側制御部１１３は、撮影画面の輝度を測光し、絞り値とシャッター速度を算出する。
シャッター速度優先オートモードの場合、カメラ本体側制御部１１３は、ユーザーによるコマンドダイヤル１０６の操作に応じたシャッター速度を選択するとともに、撮影画面の輝度を測光し、絞り値を算出する。
【００６２】
ステップＳ１２４にて、カメラ本体側制御部１１３は、半押しスイッチ１２１がオンであることを判断した場合、ステップＳ１２５に進む。半押しスイッチ１２１がオンでないことを判断した場合は、図３のステップＳ１１７に戻る。
【００６３】
ステップＳ１２５にて、カメラ本体側制御部１１３は、絞込み測光連写切替スイッチ１２４がオンであると判断した場合、ステップＳ１２６に進む。絞込み測光連写切替スイッチ１２４がオンでないと判断した場合は、ステップＳ１２７に進む。
【００６４】
ステップＳ１２６にて、カメラ本体側制御部１１３は、レリーズモードが開放測光連写モードであると判断した場合、ステップＳ１２８に進む。レリーズモードが開放測光連写モードでないと判断した場合は、ステップＳ１２９に進む。
ステップＳ１２７にて、カメラ本体側制御部１１３は、レリーズモードが絞込み測光連写モードであると判断した場合、ステップＳ１２８に進む。レリーズモードが絞込み測光連写モードでないと判断した場合は、ステップＳ１２９に進む。
【００６５】
本実施形態におけるカメラは、マニュアルモード以外では直前のステップにおける測光値によって絞り値又はシャッター速度が変化する。そのため、半押しスイッチ１２１がオンである間、ステップＳ１２８について初回の測光前に実行される場合と初回の測光後に実行される場合とで絞り値が異なる。
【００６６】
まず、初回の測光前にステップＳ１２８が実行された場合について説明する。
カメラ本体側制御部１１３は、レンズ制御部２０１に対して絞り２０３の開口部をステップＳ１２３で選択された絞り値の開口面積にするように指示する。カメラ本体側制御部１１３からの指示を受けたレンズ制御部２０１は、絞り駆動制御部２０２に対して絞り２０３の開口部をステップＳ１２３で設定された絞り値に対応する開口面積にするように指示する。絞り駆動制御部２０２は、レンズ制御部２０１の指示に応じて絞り２０３を制御し、ステップＳ１３０に進む。
【００６７】
次に、初回の測光後にステップＳ１２８が実行された場合について説明する。
カメラ本体側制御部１１３は、カメラ通信接点５とレンズ通信接点２０４を介してレンズ制御部２０１に絞り２０３の開口部の開口面積を確認するように問い合わせる。レンズ制御部２０１は、絞り駆動制御部２０２の状態を通じて絞り２０３の開口部の開口面積を取得する。レンズ制御部２０１から絞り２０３の開口部がステップＳ１３１で設定された絞り値に対応する開口面積でない情報を含む信号が入力された場合、カメラ本体側制御部１１３は、レンズ制御部２０１に対して絞り２０３の開口部の開口面積をステップＳ１３１で設定された絞り値に対応する開口面積にするように指示する。カメラ本体側制御部１１３からの指示を受けて、レンズ制御部２０１は、絞り駆動制御部２０２に対して絞り２０３の開口部をステップＳ１３１で設定された絞り値に対応する開口面積にするように指示する。絞り駆動制御部２０２は、レンズ制御部２０１の指示に応じて絞り２０３の開口面積を制御し、ステップＳ１３０に進む。
【００６８】
ステップＳ１２９にて、カメラ本体側制御部１１３は、レンズ制御部２０１に対して絞り２０３の開口部の開口面積を確認するように問い合わせる。レンズ制御部２０１は、絞り駆動制御部２０２を通じて絞り２０３の開口部の開口面積を確認する。レンズ制御部２０１から絞り２０３の開口部が開放絞り値に対応する開口面積でない情報が伝達された場合、カメラ本体側制御部１１３は、レンズ制御部２０１を介して絞り駆動制御部２０２に対して絞り２０３の開口部を開放絞り値に対応する開口面積にするように指示する。絞り駆動制御部２０２は、絞り２０３を開放絞り値に対応する開口面積になるよう制御してステップＳ１３０に進む。
【００６９】
ステップＳ１３０にて、カメラ本体側制御部１１３は、測光部１１１に対して測光を指示する。測光部１１１は、カメラ本体側制御部１１３からの指示に応じて測光を行う。測光の手法は周知であるので説明を省略するがカメラ本体側制御部１１３は、測光用センサーから出力される測光信号に基づいて露出演算を行い、撮影輝度に応じたシャッター速度と絞り値を算出する。
【００７０】
ステップＳ１３１にて、カメラ本体側制御部１１３は、露光時の絞り値とシャッター速度を設定する。
【００７１】
ステップＳ１３２にて、カメラ本体側制御部１１３は、全押しスイッチ１２２がオンであると判断した場合、ステップＳ１３３に進む。ステップＳ１３２にて、カメラ本体側制御部１１３は、全押しスイッチ１２２がオンであると判断しなかった場合、ステップＳ１２４に戻る。
【００７２】
ステップＳ１３３にて、カメラ本体側制御部１１３は、レンズ制御部２０１を介して絞り２０３の開口部をステップＳ１３１で設定された絞り値に制御する。また、カメラ本体側制御部１１３は、ミラー駆動制御部１１５に対して、ミラーアップするよう指示し、ミラー１１６を退避位置へミラーアップする。
【００７３】
ステップＳ１３４にて、カメラ本体側制御部１１３は、シャッター駆動制御部１１７に指示して、ステップＳ１３１で設定されたシャッター速度に応じた駆動タイミングでシャッター１１８の先幕及び後幕を走行させて露光動作を行う。撮像部１１２において、撮像素子に露光された光束は光電変換により電気信号に変換されアナログ信号処理装置に送信される。撮像素子から転送された電気信号は、アナログ信号処理装置によってノイズ低減処理が施されてＡ／Ｄ変換器に送信される。アナログ信号処理装置から転送された電気信号は、Ａ／Ｄ変換器によってデジタル信号に変換されてカメラ本体側制御部１１３に送信される。
【００７４】
ステップＳ１３５にて、カメラ本体側制御部１１３は、ミラー駆動制御部１１５に指示して、ミラー１１６を観察状態に復帰させるとともに、シャッター駆動制御部１１７に指示してシャッター１１８をチャージする。
【００７５】
ステップＳ１３６にて、カメラ本体側制御部１１３は、Ａ／Ｄ変換器から受信したデジタル信号に、必要に応じて周知の色補正処理や圧縮処理等の画像処理施し、画像データを生成する。次に、カメラ本体側制御部１１３は、生成された画像データと、絞り値やシャッター速度等の撮影補助情報とを記録媒体１２７に記録する。
【００７６】
ステップＳ１３７にて、カメラ本体側制御部１１３は、絞込み測光連写切替スイッチ１２４がオンであると判断した場合、ステップＳ１３８に進む。カメラ本体側制御部１１３は、絞込み測光連写切替スイッチ１２４がオンでないと判断した場合、ステップＳ１３９に進む。
【００７７】
ステップＳ１３８にて、カメラ本体側制御部１１３は、レリーズモードが開放測光連写モードであると判断した場合、ステップＳ１４０に進む。カメラ本体側制御部１１３は、レリーズモードが開放測光連写モードでないと判断した場合、ステップＳ１４１に進む。
ステップＳ１３９にて、カメラ本体側制御部１１３は、レリーズモードが絞込み測光連写モードであると判断した場合、ステップＳ１４０に進む。カメラ本体側制御部１１３は、レリーズモードが絞込み測光連写モードでないと判断した場合、ステップＳ１４１に進む。
【００７８】
ステップＳ１４０にて、カメラ本体側制御部１１３は、レンズ制御部２０１を介して絞り駆動制御部２０２に対して絞り２０３の開口部をステップＳ１３３にて制御された開口面積で保持するように指示する。絞り駆動制御部２０２は、レンズ制御部２０１の指示に応じて絞り２０３を制御し、ステップＳ１４２に進む。
【００７９】
ステップＳ１４１にて、カメラ本体側制御部１１３は、レンズ制御部２０１を介して絞り駆動制御部２０２に対して絞り２０３の開口部を開放絞り値に対応する開口面積にするように指示する。絞り駆動制御部２０２は、絞り２０３を開放絞り値に対応する開口面積になるよう制御してステップＳ１４２に進む。
【００８０】
ステップＳ１４２にて、カメラ本体側制御部１１３は、全押しスイッチ１２２がオンであると判断した場合、ステップＳ１２４に戻る。全押しスイッチ１２２がオンでないと判断した場合は、図３のステップＳ１１７に戻る。
【００８１】
なお、絞込み測光連写切替釦機能の有効又は無効の設定に基づき、カメラ本体側制御部１１３は、ステップＳ１２５及びステップＳ１３７の判断を特に行わなくてもよい。
レリーズモードが開放測光連写モードである場合、開放測光連写モードから絞込み測光連写モードへの切替に関する絞込み測光連写切替釦機能が有効であり、かつ絞込み測光連写モードから開放測光連写モードへの切替に関する絞込み測光連写切替釦機能が無効であるとき、ステップＳ１２５又はステップＳ１３７にて、カメラ本体側制御部１１３は、絞込み測光連写切替スイッチ１２４がオンであると1回判断すると、半押しスイッチ１２１がオンである間はステップＳ１２５及びステップＳ１３７の判断は行わない。
具体的には、半押しスイッチ１２１がオンである間に、ステップＳ１２５又はステップＳ１３８にて絞込み測光連写切替スイッチ１２４がオンであると１度判断すると、その判断以降ステップＳ１２５及びステップＳ１３７の判断は行わない。すなわち、ステップＳ１２４からステップＳ１２６に進む。ステップＳ１３６からステップＳ１３８に進む。
【００８２】
以上説明したように、本実施形態によれば、連続撮影している間に開放測光連写モードと絞込み測光連写モードとをユーザーが任意のタイミングで切替えることが可能となり、光学ファインダーが暗くなることを防ぎたい環境や連続撮影の撮影速度を上げたい環境等、撮影環境に応じた連続撮影が可能になる。
【００８３】
また、本実施形態におけるカメラ１では、ユーザーが絞込み測光連写切替釦機能の有効、無効を選択できるようにした。これによって、連続撮影している間にユーザーの意図しない開放測光連写モードと絞込み測光連写モードとの切替を防ぐことが可能となる。
【００８４】
本発明の撮像装置は、上述した実施形態に限定されるものではなく、本発明の範囲内で種々に改変することができる。
【００８５】
本実施形態における開放測光連写モードでは、絞りの開口部を、交換レンズが予め保持する開放絞り値に対応する開口面積で測光を行い、設定された絞り値に対応する開口面積で撮像及び画像データ生成を行った。
開放絞り値は、交換レンズが予め保持している開放絞り値に限定されない。交換レンズが予め保持している開放絞り値に比べて大きい絞り値をユーザーが設定開放絞り値としてＲＡＭ１２０に一時記憶させ、図３のステップＳ１０４にて上述した設定開放絞り値をＲＡＭ１２０から読み出して開放絞り値としてもよい。
【００８６】
本実施形態の交換レンズ２００が具備する絞り２０３は、虹彩絞りである必要はなく、絞り羽根の開口部を虹彩絞りに比して円形に近づけるために絞り羽根の形状を加工した円形絞りでもよい。
また、交換レンズ２００が具備する絞り２０３は、絞り羽根で構成される必要はなく、複数の絞り値に対応する口径の円が予め打ち抜かれている絞り板を設定された絞り値に応じて入れ替えるものであってもよい。
【００８７】
本実施形態のカメラ１が備える絞込み測光連写切替釦１０４の機能は、特に図示しないプレビュー釦の機能と兼用されてもよい。
プレビュー釦は、ユーザーが撮影前に設定された絞り値での被写界深度を知るために押下する釦である。撮影モードの場合、ユーザーは、プレビュー時にプレビュー釦を押下することで、カメラ１の絞りの開口部を予め設定された絞り値に対応する開口面積にすることができる。
【００８８】
本実施形態のカメラ１が備える絞込み測光連写切替釦１０４及び絞込み測光連写切替スイッチ１２４は、特に、カメラ本体１００に設置される必要はない。
絞込み測光連写切替釦１０４は、交換レンズ２００に設置されてもよい。
【００８９】
また、本実施形態のカメラ１が備える絞込み測光連写切替スイッチ１２４は、カメラ本体１００または交換レンズ２００が具備する不図示の集音マイクに電気的に接続されており、ユーザーによる集音マイクへの音入力に応じてオン信号をカメラ本体側制御部１１３へ出力してもよい。
【００９０】
絞込み測光連写切替スイッチ１２４は、ユーザーにより絞込み測光連写切替釦１０４が押下されている間だけ、オン信号を出力するプッシュスイッチであってもよい。
【図１】
2013242497.tif 000003
【図２】
2013242497.tif 000004
【図３】
2013242497.tif 000005
【図４】
2013242497.tif 000006
【図５】
2013242497.tif 000007
【図６】
2013242497.tif 000008